(57)【要約】【課題】紙葉類に記された所要の箇所の内容のみを外方から把握し得るようにしつつ、当該内容が使用者以外の者に容易に視認されてしまうこと有効に回避することができる書類ホルダを提供する。【解決手段】本発明に係る書類ホルダ１は、書類Ｐを背面側から支持する裏表紙２と、この裏表紙２との間で書類Ｐを挟持し得るように配され書類Ｐの記載内容Ｐ１を視認不能に構成された可撓性を有する素材からなる表表紙３と、この表表紙３の所定箇所３４に形成された貫通孔要素４０であり表表紙３の一部を撓ませることにより貫通孔要素４０を書類Ｐに対し摺動させたときに記載内容Ｐ１が判読され得るように構成された開口またはスリットたる表出窓４とを具備することを特徴とする。【選択図】図７
2017226091.tif 000002
【特許請求の範囲】
【請求項１】
紙葉類を背面側から支持する裏表紙と、
この裏表紙との間で紙葉類を挟持し得るように配され紙葉類の記載内容を視認不能に構成された可撓性を有する素材からなる表表紙と、
この表表紙の所定箇所に形成されたものであり前記表表紙の一部を撓ませることにより前記紙葉類に対し摺動させたときに前記記載内容が判読され得るように構成された開口又はスリットと
を具備することを特徴とする書類ホルダ。
【請求項２】
前記開口又はスリットが、前記表表紙の前記所定箇所に形成された貫通孔要素である表出窓である請求項１記載の書類ホルダ。
【請求項３】
前記表出窓が、前記表表紙の所定領域に穿たれた複数の孔が集合して設けたものである請求項２記載の書類ホルダ。
【請求項４】
前記複数の孔が、互いに平行するように延出した形状をなしている請求項３記載の書類ホルダ。
【請求項５】
前記表出窓が、少なくとも一個の貫通孔から設けられたものであり前記表表紙を撓ませることにより前記紙葉類に対して摺動させ得る方向と交差する方向に延びるものである請求項２記載の書類ホルダ。
【請求項６】
前記裏表紙及び前記表表紙が連続する二辺を開放させるように他の辺を接合させてなる概略矩形状をなすものであるとともに、前記開放させた二辺の角部分に、前記紙葉類を挟持した状態で前記裏表紙及び前記表表紙とを重ねた状態で位置決めし得るストッパを具備している請求項１〜５の何れかに記載の書類ホルダ。
【請求項７】
前記ストッパが、前記開口又はスリットを被覆し得る位置に設けられる請求項６記載の書類ホルダ。
【請求項８】
前記ストッパが、透明又は半透明であり被覆している前記開口又はスリット及び当該開口又はスリット内に位置する前記紙葉類の記載内容を視認可能である請求項７記載の書類ホルダ。
【発明の詳細な説明】
【技術分野】
【０００１】
この発明は、紙葉類を収容、保管することができる書類ホルダに関する。
【背景技術】
【０００２】
従来、主に合成樹脂製シートといったシート状の素材により構成され、表表紙と裏表紙との間に紙葉類を収容可能に構成された書類ホルダが周知である。斯かる書類ホルダに該当するものとしては、外方から紙葉類に記載された内容を視認し得る透明の合成樹脂製シートからなる、所謂クリヤーホルダと称されるものが挙げられる。また一方、斯かるクリヤーホルダとは全く異なる用途で使用されるものとして、特許文献１に開示されているような書類ホルダも周知である。
【０００３】
この特許文献１に記載されている書類ホルダは、主に確定申告書類のような個人情報が記されている紙葉類を保管するために設けられたものである。すなわち特許文献１に記載の書類ホルダは、少なくとも表表紙及びを不透明の素材或いは色彩により構成して収容している紙葉類の記載内容を殆ど視認し得ないようにしつつ、表表紙又は裏表紙の一部に横長の孔を形成することにより、確定申告書類の氏名欄のみを外方から視認することを目的としたものである。
【先行技術文献】
【特許文献】
【０００４】
【特許文献１】特開２０１２−９１４２６号公報
【発明の概要】
【発明が解決しようとする課題】
【０００５】
しかしながら、書類ホルダによって収容しようとする紙葉類の種類によっては、紙葉類に記載されている情報の一部でも容易に視認されてしまうと情報漏洩に繋がるという不具合を生じてしまうものもあるのが現状である。一方、斯かる情報漏洩の可能性を完全に排除してしまうと、書類を管理する立場にあるような使用者が必要以上に書類ホルダの内容を確認しながら書類ホルダの取り扱いをしなければならず、作業がいきおい煩雑なものとなってしまう。
【０００６】
本発明は、紙葉類に記された所要の箇所の内容のみを外方から把握し得るようにしつつ、当該内容が使用者以外の者に容易に視認されてしまうこと有効に回避することができる書類ホルダを提供する。
【課題を解決するための手段】
【０００７】
すなわち、本発明に係る書類ホルダは、紙葉類を背面側から支持する裏表紙と、この裏表紙との間で紙葉類を挟持し得るように配され紙葉類の記載内容を視認不能に構成された可撓性を有する素材からなる表表紙と、この表表紙の所定箇所に形成されたものであり前記表表紙の一部を撓ませることにより前記紙葉類に対し摺動させたときに前記記載内容が判読され得るように構成された開口又はスリットとを具備することを特徴とする。
【０００８】
このようなものであれば、一瞥しては開口又はスリットから紙葉類の記載内容を視認し得ないが、当該書類ホルダを取り扱う使用者の意図により開口又はスリットを紙葉類に対し摺動させたときのみ開口又はスリットから表出する記載内容の位置を順次変化させることで使用者に記載内容の意味を認識させることができる。すなわち本発明によれば、紙葉類に記された所要の箇所の内容のみを外方から把握し得るようにしつつ、当該内容が使用者以外の者に容易に視認されてしまうこと有効に回避することができる書類ホルダを提供することができる。
【０００９】
そして開口又はスリットを介して視認される記載内容をより使用者に明確に把握させるようにするためには、開口又はスリットを表表紙の所定領域に形成された貫通孔要素である開口窓とすることが望ましい。
【００１０】
表出窓を一瞥したときに紙葉類の記載内容をより視認し難くするためには、表出窓を、表表紙の所定領域に穿たれた複数の孔を集合させて設けたものとすることが望ましい。
【００１１】
使用者が表出窓を摺動動作させたときに紙葉類の記載内容の意味をより速やかに判別し得るようにするためには、複数の孔を、互いに平行するように延出した形状をなしたものとすることが好ましい。
【００１２】
また、表出窓を摺動動作させる動作量が少なくとも使用者が紙葉類の記載内容の意味を容易に判別し得るようにするためには、表出窓を、少なくとも一個の貫通孔から設けられたものとし、表表紙を撓ませることにより紙葉類に対して摺動させ得る方向と交差する方向に延出した形状をなすものとすることが好ましい。
【００１３】
紙葉類が表表紙及び裏表紙に挟持された状態を確実に維持することにより、紙葉類から表表紙が離間してしまい紙葉類の記載内容が露出してしまうという不具合を有効に回避するためには、裏表紙及び表表紙が連続する二辺を開放させるように他の辺を接合させてなる概略矩形状をなすものとし、開放させた二辺の角部分に、紙葉類を挟持した状態で裏表紙及び表表紙とを重ねた状態で位置決めし得るストッパを設けることが望ましい。
【００１４】
そして斯かるストッパを、開口又はスリットを被覆し得る位置に設ければ、開口又はスリットから表出している紙葉類の一部分を外部から有効に保護し得るものとなる。
【００１５】
また使用者が紙葉類の記載内容の意味を把握すべく表表紙を紙葉類に対し摺動させているときでも紙葉類を外部から有効に保護するためには、ストッパを、透明又は半透明であり被覆している開口又はスリット及び当該開口又はスリット内に位置する紙葉類の記載内容を視認可能なものとすることが好ましい。
【発明の効果】
【００１６】
本発明は、以上説明した構成であるから、紙葉類に記された所要の箇所の内容のみを外方から把握し得るようにしつつ、当該内容が使用者以外の者に容易に視認されてしまうこと有効に回避することができる書類ホルダを提供することができる。
【図面の簡単な説明】
【００１７】
【図１】本発明の一実施形態に係る外観図。
【図２】同正面図。
【図３】同背面図。
【図４】同実施形態に係る要部の外観図。
【図５】図実施形態に係る動作説明図。
【図６】図実施形態に係る要部の正面図。
【図７】同実施形態に係る作用説明図。
【図８】同実施形態の変形例に係る要部の正面図。
【図９】同上。
【図１０】同上。
【発明を実施するための形態】
【００１８】
以下、本発明の一実施形態を、図面を参照して説明する。
【００１９】
本実施形態に係る書類ホルダ１は、セキュリティホルダとも称されるものであり、図１〜図７に示すように、収容物としての矩形状をなす紙葉類たる書類Ｐをその記載内容Ｐ１が外方から略視認し得ない状態として収容、保管するためのものである。このような書類ホルダ１を用いることにより、書類Ｐが例えば個人情報等が記載された文書であった場合でも、当該書類Ｐのヘッダ部分に記載されているマイナンバー等の識別番号を示すナンバーＰ２（図５〜図７）や捺印Ｐ３（図５〜図７）等の重要な情報が好適に隠蔽された状態で収容、保管することができる。
【００２０】
ここで、本実施形態に係る書類ホルダ１は、書類Ｐを背面側から支持する裏表紙２と、この裏表紙２との間で書類Ｐを挟持し得るように配され書類Ｐの記載内容Ｐ１を視認不能に構成された可撓性を有する素材からなる表表紙３と、この表表紙３の所定箇所３４に形成されたものであり表表紙３の一部を撓ませることにより書類Ｐに対し摺動させたときに記載内容Ｐ１が判読され得るように構成された開口又はスリットたる表出窓４とを具備することを特徴とする。
【００２１】
以下、本実施形態に係る書類ホルダ１の具体的な構成について説明する。
【００２２】
書類ホルダ１は、主に可撓性を有する不透明に構成されたシート素材を適宜折り曲げ並びに溶着することにより形成された裏表紙２及び表表紙３を主体としたものである。具体的には、当該書類ホルダ１は、裏表紙２及び表表紙３が連続する二辺を開放させるように他の辺を接合させてなる概略矩形状をなすものである。当該裏表紙２及び表表紙３を形成している素材は、本実施形態では外方に面する一面にシボ加工を施した例えばポリプロピレンといった樹脂性のシート素材であるが勿論、ポリエチレンやポリエチレンテレフタレートといった他の樹脂素材、或いは紙素材を用いてもよい。更には裏表紙２を表表紙３とは異なる素材としても良い。
【００２３】
この書類ホルダ１は、連続する二辺を開放し他の二辺を接合させるべく、上端側において裏表紙２及び表表紙３が全域に亘って接離可能に構成される開放上縁１ａと、この開放上縁１ａに対向する端部において樹脂素材を折り返すことによって形成し底縁１ｂと、これら開放上縁１ａ及び底縁１ｂの一側端を帯状に溶着させることにより接合させた溶着側縁１ｃと、この溶着側縁１ｃに対向する端部において裏表紙２及び表表紙３が略全域に亘って接離可能に構成される開放側縁１ｄとを有している。また本実施形態ではこの書類ホルダ１は、開放側縁１ｄの底縁１ｂよりの一定の領域に、表表紙３を構成する樹脂素材の膨出部分を裏表紙２に溶着することによって形成されたこぼれ止め１ｅと、溶着側縁１ｃに上下方向に等間隔に例えば四箇所に穿たれた開口である綴じ穴１ｈとを更に有している。このこぼれ止め１ｅを設けることにより、裏表紙２及び表表紙３に単に挟まれただけの書類Ｐであっても容易に開放側縁１ｄ側から脱落してしまうことはない。また本実施形態では、綴じ穴１ｈとして、一般的な四穴或いは二穴構造をなす綴じ具を配したバインダー等に好適に綴じられ得るように構成している。しかし当該綴じ穴１ｈの有無及びその数は、書類ホルダ１の保管態様や収容する書類Ｐの如何によって適宜の構成とし得る。換言すればバインダーに綴じる目的がなければ当該綴じ穴１ｈは必要無い。また綴じ穴１ｈの数をさらに増加させることにより、例えばクリヤーブック替え紙と称されるようなものの如く汎用性が高い別異の態様を採ることもできる。
【００２４】
加えて本実施形態に係る書類ホルダ１は裏表紙２側において表表紙３及び書類Ｐを挟み得るストッパ５と、表表紙３側に穿たれた表出窓４とを更に有している。これらストッパ５及び表出窓４については後に説明する。
【００２５】
裏表紙２は、書類Ｐを背面側から支持するべく矩形状をなすものであり、表表紙３に対面する側の面の略全域に書類Ｐすなわち書類Ｐを支持するための書類支持面２１を有している。また本実施形態ではこの裏表紙２は、開放上縁１ａ及び開放側縁１ｄに臨む領域に、上述したストッパ５を取り付けるためのストッパ取付部２２を有している。
【００２６】
表表紙３は、裏表紙２の外形に対応した略矩形状をなすものであり、表面を不透明に構成した不透明面３１と、開放上縁１ａ及び開放側縁１ｄに臨む領域において樹脂素材を正面視若干凹ませて形成された退避縁３２と、こぼれ止め１ｅ近傍において概略三角形状に樹脂素材を凹ませて形成した凹部３３とを有している。本実施形態では図１、図２及び図４に示すように退避縁３２が形成されることで裏表紙２のストッパ取付部２２及びストッパ５の一部が正面側に露出する。また凹部３３が形成されることで表表紙３におけるこぼれ止め１ｅ近傍の表表紙３の可撓変形が促されるとともに、使用者にとっては裏表紙２と表表紙３とを厚み方向に離間させるべく裏表紙２、表表紙３間に手指が挿入し易くなっている。そして本実施形態では、この表表紙３は、開放上縁１ａ及び開放側縁１ｄといった二辺が連続する箇所近傍を、収容しようとする書類Ｐの記載内容Ｐ１に対応して設定された所定領域３４としている。本実施形態ではこの所定領域３４が重層される書類Ｐの一部分に、その書類Ｐの記載内容Ｐ１の中でも重要な部分が配されているからである。
【００２７】
表出窓４は、上述した表表紙３の所定箇所３４に形成された開口またはスリットの一態様である貫通孔要素４０からなるものである。本実施形態では、表出窓４は、複数の孔たる貫通孔要素４０を集合させて設けたものである。具体的には、貫通孔要素４０は、開放上縁１ａから開放側縁１ｄに向けて傾斜方向に延出する傾斜長孔４１と傾斜短孔４２とを有している。これら傾斜長孔４１及び傾斜短孔４２は、それぞれ同方向に延出する延出縁４０ａを有している。すなわちこれら集合している複数の孔は互いに平行するように延出した形状をなしている。また本実施形態では上述の通り、可撓性を有する表表紙３が撓みやすい方向は、開放上縁１ａ及び開放側縁１ｄといった二辺がなす各から延びる対角線方向である。すなわち当該傾斜長孔４１及び傾斜短孔４２は、表表紙３を撓ませることにより書類Ｐに対して摺動させ得る方向と交差する方向に延びる形状をなすものである。
【００２８】
ストッパ５は、表表紙３及び裏表紙２を構成している樹脂素材とは別体に構成されたシート状をなす透明樹脂素材からなるものである。具体的に説明するとこのストッパ５は、表表紙３及び書類Ｐの裏表紙２に対するずれを防ぎ得るように機能するものである。併せてストッパ５は、本実施形態では表出窓４を正面側から開閉可能に覆うカバーとしての役割をも兼ねて担うものである。このストッパ５は、本実施形態では裏表紙２に取り付けられたものであり表表紙３をカバーと裏表紙２との間に差し込むことによって表表紙３及び書類Ｐの裏表紙２に対するずれを防ぎ得る。
【００２９】
ストッパ５は具体的に説明すると、正面視台形状をなす透明シート５１と、この透明シート５１の傾斜辺に該当する部分において裏表紙２に溶着された裏側溶着部５２とを有している。そして透明シート５１は、裏面側に、表表紙３及び書類Ｐを押さえ得る押さえ面５４を有している。このストッパ５は、裏表紙２における表表紙３に対し接離可能な連続する二辺、すなわち書類ホルダ１における開放上縁１ａ及び開放側縁１ｄに亘って固定されている。そしてこのストッパ５は、書類ホルダ１における開放させた二辺の角部分に、書類Ｐを挟持した状態で裏表紙２及び表表紙３を重ねた状態で位置決めすることで、表表紙３及び書類Ｐの裏表紙２に対するずれを防ぎ得るように機能する。すなわち当該ストッパ５は上述した表表紙３の所定箇所３４にある表出窓４を被覆し得る位置に設けられる。
【００３０】
その結果、本実施形態ではストッパ５は上述の通り透明シート５１を主体としている。そのため、透明シート５１が被覆している表出窓４及び当該表出窓４内に位置する書類Ｐの記載内容Ｐ１の一部を外方から視認可能である。しかしながら表出窓４を通して視認される一部の記載内容Ｐ１からでは、通常外方から見る者は当該記載内容Ｐ１を判読できない。
【００３１】
ここで、本実施形態に係る書類ホルダ１は、開口またはスリットの一態様である表出窓４を設けることにより、表表紙３の一部を撓ませることにより貫通孔要素４０を書類Ｐに対し摺動させたときに書類Ｐの記載内容Ｐ１が判読され得るように構成されたものとしている。以下、表出窓４と書類Ｐの記載内容Ｐ１との関係を中心に本実施形態の動作並びに作用について説明する。
【００３２】
ここで本実施形態にて書類ホルダ１が収容する書類Ｐについて説明する。この書類Ｐが有している記載内容Ｐ１は、例えば当該書類Ｐの特定の個人情報が記載されている類いのものである。そしてその記載内容Ｐ１の一部として、書類Ｐの右上隅部分には、特定の個人の情報に関連するナンバーＰ２や、当該個人或いは他の責任者による捺印Ｐ３が記されている。つまりこの書類Ｐは、予め記載内容Ｐ１として上記ナンバーＰ２を記載するためのナンバー記載欄Ｐ４と、捺印Ｐ３を押印する箇所を示すための捺印欄Ｐ５とを有しており、少なくとも当該ナンバー記載欄Ｐ４及び捺印欄Ｐ５とによって示された箇所にナンバーＰ２や捺印Ｐ３が記されたものが、本実施形態に係る書類ホルダ１に保管される。
【００３３】
まず図５は、ストッパ５を用いて表表紙３及び書類Ｐを裏表紙２に位置決めする動作を行う途中の態様を図示したものである。ストッパ５を用いて表表紙３及び書類Ｐを位置決めする際、まず同図に示すように表表紙３を大きく撓ませることにより所定領域３４及び退避縁３２を書類ホルダ１の中心へ向けて大きく退避させ、しかる後、同図に示した状態から退避縁３２をストッパ５の押さえ面５４より下側へもぐらせるように差込み、図６に示す状態とする。
【００３４】
そして図６はストッパ５を用いて表表紙３及び書類Ｐをストッパ５の押さえ面５４と裏表紙２の書類支持面２１との間に挟持させた状態を示している。当該状態においては、書類Ｐ及び表表紙３がストッパ５によって位置決めされているために、不意に書類Ｐが書類ホルダ１から脱落したり、表表紙３が書類Ｐから離間して記載内容Ｐ１の大部分が外方に露出したりしてしまうといった不具合は有効に回避されている。加えて上述の通り、表出窓４を通して視認される一部の記載内容Ｐ１からでは、ナンバーＰ２や捺印Ｐ３のごく一部しか外方から視認し得ないため外方から見る者は当該記載内容Ｐ１を判読できない。そして、同図に示す状態からさらに表表紙３を撓ませると、図７に示すように表出窓４は書類ホルダ１の中心へ向けた対角線方向に動作する。
【００３５】
図７は、例えば使用者の手指による操作により表表紙３を撓ませることで表出窓４の位置が書類Ｐに沿って摺動した状態を図示している。斯かる状態においては表出窓４の位置が書類Ｐから相対動作しているため、記載内容Ｐ１のナンバーＰ２や捺印Ｐ３は、図６に示す位置とは異なる位置が表出窓４を介して表出する。しかしながら依然として同図に示す状態においても、ナンバーＰ２や捺印Ｐ３のごく一部しか外方から視認し得ないため外方から見る者は当該記載内容Ｐ１を判読できない。しかしながら、この書類ホルダ１の使用者は、同図に示す状態によって表出窓４を介して視認される記載内容Ｐ１と、上記図６に示す状態によって表出窓４を介して視認される記載内容Ｐ１との両方の記載内容Ｐ１を記憶する。これにより表出窓４からナンバーＰ２や捺印Ｐ３を確認し得ないまでの一部しか視認できないにも関わらず使用者は表出窓４の位置の変化によってナンバーＰ２や捺印Ｐ３のうち表出窓４よりも大きい領域を認識することができる。その結果使用者は、書類Ｐの記載内容Ｐ１を表出窓４によって判読することができる。特に本実施形態では互いに平行する傾斜長孔４１と傾斜短孔４２とが表出窓４がずれる方向に交差する方向に延出しているため、少しの表出窓４のずれによってもより大きい面積で書類Ｐにおける多くの領域を新たに視認することができる。
【００３６】
更に本実施形態に係る書類ホルダ１は、上述した図６及び図７に示す状態において表出窓４の殆どの領域がカバーたるストッパ５によって覆われた状態となるので、表出窓４を介して表出している箇所は殆ど透明シート５１に保護された状態となっているので、図６及び図７に示す状態では表出窓４を介して書類Ｐが汚れたり、損傷されたりといった不具合は有効に回避されている。
【００３７】
以上のように、本実施形態に係る書類ホルダ１は開口またはスリットの一態様である貫通孔要素４０を紙葉類たる書類Ｐに対し摺動させたときに記載内容Ｐ１が判読され得るように構成された表出窓４を設けたことにより、一瞥しては表出窓４から書類Ｐの記載内容Ｐ１を視認し得ないものの、当該書類ホルダ１を取り扱う使用者の意図により表表紙３に穿たれた貫通孔要素４０を書類Ｐの対し摺動させたときのみ貫通孔要素４０から表出する記載内容Ｐ１の位置を順次変化させることで使用者に記載内容Ｐ１の意味を認識させ得るものとなっている。つまり、本実施形態によれば、書類Ｐに記された所要の箇所の内容のみを外方から把握し得るようにしつつ、当該記載内容Ｐ１が使用者以外の者に容易に視認されてしまうこと有効に回避することができる書類ホルダ１が実現されている。
【００３８】
また本実施形態では開口またはスリットのうち、その一態様である貫通孔要素４０を適用しているので、使用者にとって記載内容Ｐ１をより視認し易いものとしている。
【００３９】
また本実施形態では表出窓４を構成する貫通孔要素４０を表表紙３の所定領域３４に穿たれた複数の孔たる傾斜長孔４１及び傾斜短孔４２を集合させたものとしているので、表出窓４を一瞥したときに書類Ｐの記載内容Ｐ１をより視認し難くし得たものとなっている。
【００４０】
そして本実施形態では貫通孔要素４０を構成する複数の孔である傾斜長孔４１及び傾斜短孔４２を、互いに平行するように延出させたものとしているので、使用者が表出窓４を摺動動作させたときに書類Ｐの記載内容Ｐ１の意味をより速やかに判読し得るようになっている。
【００４１】
更に本実施形態では、表出窓４を、表表紙３を撓ませることにより書類Ｐに対して摺動させ得る方向と交差する方向に延出した延出縁４０ａを有した形状をなすものと表出窓４を摺動動作させる動作量が少なくとも使用者が書類Ｐの記載内容Ｐ１の意味を容易に判読し得るものとなっている。
【００４２】
書類Ｐが表表紙３及び裏表紙２に挟持された状態を確実に維持することにより、書類Ｐから表表紙３が離間してしまい書類Ｐの記載内容Ｐ１が露出してしまうという不具合を有効に回避するために本実施形態では、開放上縁１ａ及び開放側縁１ｄといった二辺が形成する角部分に上述したストッパ５を設けている。
【００４３】
そして斯かるストッパ５を、開口またはスリットたる表出窓４を被覆し得る位置に設けることにより本実施形態では、表出窓４から表出している書類Ｐの一部分を外部から有効に保護し得るものとなっている。
【００４４】
加えて本実施形態ではストッパ５を、透明シート５１を主体としたものとしているので、図７に示すような表表紙３を書類Ｐに対し摺動させているときでも書類Ｐを外部から有効に保護し得るものとなっている。
【００４５】
＜変形例＞
【００４６】
以下、本実施形態の各変形例について説明していく。以下の各変形例については上記実施形態の構成要素に相当するものに対しては同じ記号を付すとともに、その具体的な説明を省略するものとする。
【００４７】
上記実施形態では表出窓４が開口またはスリットの一態様である複数の貫通孔要素４０からなるものとしたが勿論、本発明は貫通孔要素４０が複数である態様に限られるものではない。
【００４８】
すなわち図８に示す本変形例に係る書類ホルダ１は、開口またはスリットの一態様である表出窓４が、一個の貫通孔たる貫通孔要素４０から設けられたもの、具体的には上記傾斜長孔４１よりも大きい大きさである傾斜孔４３からなるものである。この傾斜孔４３は上記実施形態同様の延出縁４０ａを有している。換言すれば表表紙３を摺動させ得る方向と交差する方向に延びる点は同様である。
【００４９】
続いて、上記実施形態並びに変形例ではともに貫通孔要素４０を延出縁４０ａの延出方向に傾斜した形状のものとしたが勿論、貫通孔要素４０の形状は上述の記載によって何ら限定されるものではない。
【００５０】
すなわち図９に示す本変形例に係る書類ホルダ１は、表表紙３の所定領域３４に穿たれた複数の孔が集合して設けたもの、すなわち開口またはスリットの一態様である複数の貫通孔要素４０から表出窓４が構成される点は上記実施形態の構成と同様であるが、本変形例係る貫通孔要素４０は、等間隔に設けられた複数の丸孔４４からなるものとしている。
【００５１】
更に、上記実施形態及び変形例では貫通孔要素４０は長円形状や円形状をなす態様のものを開示したが勿論、当該開示は貫通孔要素４０の形状を限定するものではない。
【００５２】
すなわち図１０に示す本変形例に係る書類ホルダ１は、開口またはスリットの一態様である単一の貫通孔要素４０により表出窓４を構成している点においては図８に示した変形例と同様であるが、本変形例に係る貫通孔要素４０は、正面視概略Ｓ字状をなす単一の変形孔４５により貫通孔要素４０を構成している。当該貫通孔要素４０は上記実施形態同様の延出縁４０ａを複数有するように構成されている。
【００５３】
これらのようなものであっても上記実施形態及び変形例同様、貫通孔要素４０を書類Ｐの対し摺動させたときのみ貫通孔要素４０から表出する記載内容Ｐ１の位置を順次変化させることで使用者に記載内容Ｐ１の意味を認識させ得る。換言すればこれら各変形例のものであっても、書類Ｐに記された所要の箇所の内容のみを外方から把握し得るようにしつつ、当該内容が使用者以外の者に容易に視認されてしまうこと有効に回避することができる書類ホルダ１が実現されている。
【００５４】
以上、本発明の一実施形態並びに各変形例について説明したが、各部の具体的な構成は、上述した実施形態のみに限定されるものではなく、本発明の趣旨を逸脱しない範囲で種々変形が可能である。例えば上記実施形態では所定箇所として矩形状をなす紙葉類の正面視右上に対応する部分のみとして開示したが勿論。紙葉類の態様に応じて所定領域は紙葉類の何れの箇所に設けても良い。また、上記実施形態では専ら表表紙及び裏表紙のみを主体とした書類ホルダを開示したが勿論、表表紙と裏表紙との間に一体又は別体に構成された中仕切りを有した態様のものであっても、本発明を好適に適用し得る。
【００５５】
また、表出窓やストッパの具体的な形状や素材といったその他の詳細な構成も、本発明の趣旨を逸脱しない範囲で種々変形が可能である。
【符号の説明】
【００５６】
１・・・書類ホルダ
２・・・裏表紙
３・・・表表紙
４・・・開口又はスリット（表出窓）
５・・・ストッパ
４０・・・貫通孔要素
Ｐ・・・紙葉類（書類）
Ｐ１・・・記載内容
【図１】
2017226091.tif 000003
【図２】
2017226091.tif 000004
【図３】
2017226091.tif 000005
【図４】
2017226091.tif 000006
【図５】
2017226091.tif 000007
【図６】
2017226091.tif 000008
【図７】
2017226091.tif 000009
【図８】
2017226091.tif 000010
【図９】
2017226091.tif 000011
【図１０】
2017226091.tif 000012